(57)【要約】      （修正有）【課題】実用性と多元性を備えた運動器具構造を提供する。【解決手段】平面１１と、半円凸出体１２と、凸耳１３と、ウーリー引き縄２と、スナップリンク２１と、ハンドル２２とを有し、平面は、その表面に無数の中央から外縁まで延びていく円弧を敷き詰めており、使用者がその表面に立ったり座ったりする場合には不意に滑って転ぶ事故の発生を防止することを目的とする設計で滑り止めの効果を具えており、半円凸出体１２は、平面のまっすぐ下方に設置され、半円凸出状の構造であり、凸耳は、平面の両側にある適所に設置され、小さなダンベルのような構造で、凸耳の中央には、ウーリー引き縄２のスナップリンク２１を掛けるための凹んだ所が設置されている。【選択図】図１
0003105518.tif 000002
【実用新案登録請求の範囲】
【請求項１】
平面と、半円凸出体と、凸耳と、ウーリー引き縄と、スナップリンクと、ハンドルとを有し、
前記平面は、その表面に無数の中央から外縁まで延びていく円弧を敷き詰めており、使用者がその表面に立ったり座ったりする場合には不意に滑って転ぶ事故の発生を防止することを目的とする設計で滑り止めの効果を具えており、
前記半円凸出体は、平面のまっすぐ下方に設置され、半円凸出状の構造であり、
前記凸耳は、平面の両側にある適所に設置され、小さなダンベルのような構造で、前記凸耳の中央には、前記ウーリー引き縄の前記スナップリンクを掛けるための凹んだ所が設置されている
ことを特徴とする運動器具構造。
【請求項２】
請求項１に記載の運動器具構造において、
前記ウーリー引き縄の前記スナップリンクを前記運動器具構造の両側にある前記凸耳に掛けた上、使用者たちが前記ウーリー引き縄を引いて全身の筋肉を引き締める
ことを特徴とする運動器具構造。
【考案の詳細な説明】
【技術分野】
【０００１】
本考案は、一種の運動器具構造に関するものである。
【背景技術】
【０００２】
現代の人々は、毎日忙しくて、戸外へ運動しにいく余裕の時間がほとんどないで、全身の筋肉を十分に引き締め、鍛えらるため、様々な運動器具を持つのは重要なことである。
【０００３】
しかしながら、現代では様々な運動器具が存在しているが、効果を十分に発揮できる設計を具えているのはほとんどないし、全身的に鍛えられないし、そのため、他の効能があり運動器具とあわせて使わなければならないことになる。一般市場で販売される運動器具は、自宅で使う際に収合作業により体積を減少できないし、収納に不便だし、家内の子供が不意に運動器具にある鋭角にぶつかる恐れがあるかもしれず、危険性が大幅に高くなるという問題点があった。
【０００４】
なお、本願出願人が実用新案登録出願時に知っている先行技術は、上記において説明したようなものであって文献公知に係る考案ではないため、記載すべき先行技術情報はない。
【考案の開示】
【考案が解決しようとする課題】
【０００５】
本考案は、従来の技術の有する上記したような背景に鑑みてなされたものであり、その目的とするところは、実用性と多元性を備えた運動器具構造を提供しようとするものである。
【０００６】
即ち、本考案者は、上記した背景に鑑み、改良を考え、実際の経験を踏まえた上で不断の研究構想を重ね、運動器具の実用性と多元性を高めることを目的として、本考案による一種の運動器具構造を考案したものである。
【課題を解決するための手段】
【０００７】
上記目的を達成するために、本考案は、使用者がその平面に立ったり座ったりでき、運動器具本体の両側に設置されている凸耳によってそれぞれの運動用のウーリー引き縄を掛ける運動器具構造を提供するものである。使用者が自身の思いのままに、好きな方式で本考案を使っても、全身の筋肉を十分に引き締める効果があり、日増しに狭くなった自宅でも手軽に運動できており、運動器具の定番として、確かに優れた実用性、便利性及び人間工学的な設計を具えているものである。
【考案の効果】
【０００８】
本考案は、実用性と多元性を備えた運動器具構造を提供することができるという優れた効果を奏する。
【考案を実施するための最良の形態】
【０００９】
本考案の構造の特徴及び特長を明確に説明するため、添付図を利用して、以下に詳細説明する。
【００１０】
先ず、図1の本考案に係る運動器具の分解斜視図を参照して説明する。運動器具構造１の主要なものは次に通りである、その主要なものは平面１１と、半円凸出体１２と、凸耳１３と、ウーリー引き縄２と、スナップリンク２１と、ハンドル２２とからなる。
【００１１】
このうちで、平面１１は、その表面に無数の中央から外縁まで延びていく円弧を敷き詰めており、使用者がその表面に立ったり座ったりする場合に、不意に滑って転ぶなどの事故の発生を防止することを目的とする設計で滑り止めの効能を具えている。
【００１２】
半円凸出体１２は、は平面１１のまっすぐ下方に設置され、半円凸出状の構造である。
【００１３】
凸耳１３は、平面１１の両側にある適所に設置され、小さなダンベルのような構造である。また、凸耳１３の中央には、ウーリー引き縄２のスナップリンク２１を掛けるための凹んだ所を設置している。
【００１４】
さらに、使用者もウーリー引き縄２を本考案の運動器具構造１と組み合わせて使える。ウーリー引き縄２のスナップリンク２１を運動器具構造１の両側にある凸耳１３に掛けた上、使用者たちが自身の好みによってウーリー引き縄２を引く方式などで、全身の筋肉を引き締める効果を得る。
【００１５】
次に、本考案の運動器具構造１の組み合わせ手順を、以下のように説明する。先ず、図２の本考案に係る運動器具の組み立てた状態の斜視図に示されるように、運動器具構造１の平面１１の両側に設置されている凸耳１３により、ウーリー引き縄２の一端にあるスナップリンク２１を掛けられるようになっており、それによって、使用者がウーリー引き縄２の別端のハンドル２２を握って運動器具構造１の表面に立ったり座ったりして、ウーリー引き縄２を引き伸ばすと合わせて、バランスを取れるように訓練でき、ウーリー引き縄２の強い弾力性により全面的に体を鍛えられる、優れた実用性を供える運動器具構造である。
【００１６】
本考案を実際使用する場合では、図３の本考案に係る運動器具の使用状態を示す説明図に示されるように、使用者が両手でウーリー引き縄２の別端のハンドル２２を握って、運動器具構造１の平面１１に座った上、ウーリー引き縄２の強い弾力性によりハンドル２２を握って上へ引き伸ばさせ、それと同時に両腕と背中の内側の筋肉も引き締める効果を得る。更に、平面１１は滑り止め効能を持っているため、バランスを取れなく不意に滑って転んで怪我をするなどを心配する必要はなく、ウーリー引き縄２を引き伸ばすことによって、腰筋や腹筋も鍛えられる。
【００１７】
次に、図４を参照して説明する。本考案の運動器具構造１の平面１１に立ってウーリー引き縄２を引き伸ばすこともできる。その表面に立ってウーリー引き縄２を上下往復に引き伸ばしながら、バランスを取るように訓練できるだけではなく、両腕の筋肉も丈夫に鍛えられる。使用者はウーリー引き縄２を使わないで、平面１１の表面に立って半円凸出体１２の中心を全体の支点として、平面１１の滑り止め効能によってバランスを取りながら身体を左右に動かすことにより、太ももの内側、外側、腹筋、背筋、脇腹も効率よく強化することができるし、下半身の運動不足も補うことができる（図５を参照する。）。
【００１８】
上述の総合として、本考案の運動器具構造は、従来技術の欠点を効果的に改良しており、背中や腰などに負担をかけず、わずかな動きで効果的に各部の筋肉を引き締めることができ、疑いもなく使用者に相当な便利を提供する。従って、本考案の構造は極めて優れた実用性と進歩性を兼備しており、実用新案登録の要件に適合するため、ここに法に則り出願を提出する。
【産業上の利用可能性】
【００１９】
本考案は、室内などで運動する際に利用されるものである。
【図面の簡単な説明】
【００２０】
【図１】本考案に係る運動器具の分解斜視図である。
【図２】本考案に係る運動器具の組み立てた状態の斜視図である。
【図３】本考案に係る運動器具の使用状態を示す説明図である。
【図４】本考案に係る運動器具の使用状態を示す説明図である。
【図５】本考案に係る運動器具の使用状態を示す説明図である。
【符号の説明】
【００２１】
１    運動器具構造  
１１    平面
１２    半円凸出体
１３    凸耳
２    ウーリー引き縄
２１    スナップリンク
２２    ハンドル
【図１】
0003105518.tif 000003
【図２】
0003105518.tif 000004
【図３】
0003105518.tif 000005
【図４】
0003105518.tif 000006
【図５】
0003105518.tif 000007